(57)【要約】  出力周波数を用いて分布振動モード形スピーカ電極を選択するための、方法、システム、およびコンピュータ記憶媒体上で符号化されるコンピュータプログラムを含む装置、を開示する。方法のうち１つは、圧電変換器のために、音を出力する周波数のサブセットを周波数の範囲から決定するステップと、音を生成するために、周波数のサブセットに基づいて、圧電変換器に含まれる２つ以上の電極対から１つ以上の電極対を選択するステップと、２つ以上の電極対の各々に接続されている駆動モジュールによって、選択された１つ以上の電極対の各々に電流を与えて、負荷への印加時に当該負荷に周波数のサブセット内の音を生成させる力を圧電変換器に生成させるステップとを含む。
2021507547.tif 000002
【特許請求の範囲】
【請求項１】
方法であって、
周波数の範囲内の音波を生成するために負荷を振動させるための力を生成するように適合された分布振動モード形スピーカの圧電変換器のために、音を出力する周波数のサブセットを前記周波数の範囲から決定するステップと、
前記音を生成するために、前記周波数のサブセットに基づいて、前記圧電変換器に含まれる２つ以上の電極対から１つ以上の電極対を選択するステップとを含み、各々の電極対は、前記圧電変換器に含まれる層の第１の側の第１の電極と、前記層のうち前記第１の側とは反対側の第２の側にある第２の電極とを含み、前記層の別の部分に接続され、前記方法はさらに、
前記２つ以上の電極対の各々に接続された駆動モジュールによって、前記選択された１つ以上の電極対の各々に電流を与えて、前記負荷への印加時に前記負荷に前記周波数のサブセット内の前記音を生成させる力を前記圧電変換器に生成させるステップを含む、方法。
【請求項２】
前記音を生成するために、前記周波数のサブセットに基づいて、前記圧電変換器に含まれる前記２つ以上の電極対から前記１つ以上の電極対を選択するステップは、前記周波数のサブセットに基づいて、前記２つ以上の電極対から電極対のサブセットを選択するステップを含む、請求項１に記載の方法。
【請求項３】
前記音を出力する前記周波数のサブセットを前記周波数の範囲から決定するステップは、前記音を出力する高周波数範囲サブセットを前記周波数の範囲から決定するステップを含み、
前記周波数のサブセットに基づいて、前記２つ以上の電極対から電極対のサブセットを選択するステップは、前記決定された高周波数範囲サブセットに基づいて、前記２つ以上の電極対から１つの電極対を選択するステップを含む、請求項２に記載の方法。
【請求項４】
前記決定された高周波数範囲サブセットに基づいて、前記２つ以上の電極対から１つの電極対を選択するステップは、前記決定された高周波数範囲サブセットに基づいて、支持部に最も近接している特定の電極対を選択するステップを含み、前記支持部は、ａ）前記圧電変換器に固定して接続されており、ｂ）前記負荷に接続されており、ｃ）前記力を前記圧電変換器から前記負荷に伝えるものである、請求項３に記載の方法。
【請求項５】
前記音とは異なる音である第２の音を出力する中周波数範囲サブセットを、前記周波数の範囲から決定するステップと、
前記決定された中周波数範囲サブセットに基づいて、前記圧電変換器に含まれる３つ以上の電極対から２つ以上の特定の電極対を選択するステップとを含み、前記３つ以上の電極対は前記２つ以上の電極対を含んでおり、前記方法はさらに、
前記３つ以上の電極対の各々に接続されている前記駆動モジュールによって、前記選択された２つ以上の電極対の各々に電流を与えて、前記圧電変換器から前記負荷に力を加えさせるとともに、前記負荷に前記中周波数範囲サブセット内の前記第２の音を生成させるステップを含む、請求項３に記載の方法。
【請求項６】
前記音を生成するために、前記周波数のサブセットに基づいて、前記圧電変換器に含まれる前記２つ以上の電極対から前記１つ以上の電極対を選択するステップは、前記周波数のサブセットに基づいて前記２つ以上の電極対のすべてを選択するステップを含む、請求項１に記載の方法。
【請求項７】
前記音を出力する前記周波数のサブセットを前記周波数の範囲から決定するステップは、前記音を出力する低周波数範囲サブセットを前記周波数の範囲から決定するステップを含み、
前記周波数のサブセットに基づいて前記２つ以上の電極対のすべてを選択するステップは、前記決定された低周波数範囲サブセットに基づいて前記２つ以上の電極対のすべてを選択するステップを含む、請求項６に記載の方法。
【請求項８】
システムであって、
分布振動モード形スピーカを備え、前記分布振動モード形スピーカは、
圧電変換器を含み、前記圧電変換器は、
２つ以上の電極対を含み、前記２つ以上の電極対の各々は、ａ）前記圧電変換器に含まれる層の第１の側に第１の電極を含み、ｂ）前記層のうち前記第１の側とは反対側の第２の側に第２の電極を含み、ｃ）前記層のうち異なる部分に接続されており、
周波数の範囲内の音波を生成するように負荷を振動させるための力を生成するように適合されており、前記分布振動モード形スピーカはさらに、
コントローラを備え、前記コントローラは、
前記圧電変換器のために、音を出力する周波数のサブセットを前記周波数の範囲から決定し、
前記音を生成するために、前記周波数のサブセットに基づいて、前記圧電変換器に含まれる前記２つ以上の電極対から１つ以上の電極対を選択するように構成されており、前記分布振動モード形スピーカはさらに、
駆動モジュールを備え、前記駆動モジュールは、
前記２つ以上の電極対の各々に接続されているとともに、前記２つ以上の電極対のうち少なくともいくつかに電流を与えて、前記負荷への印加時に前記負荷に音を生成させる力を前記圧電変換器に生成させるように適合されており、
前記選択された１つ以上の電極対の各々に電流を与えて、前記負荷への印加時に前記負荷に前記周波数のサブセット内の前記音を生成させる力を前記圧電変換器に生成させるように構成されている、システム。
【請求項９】
前記分布振動モード形スピーカは、前記圧電変換器に固定して接続された支持部を含み、前記支持部は、前記負荷に接続されると、前記圧電変換器によって生成される前記力のうち少なくともいくらかを前記負荷に伝える、請求項８に記載のシステム。
【請求項１０】
前記２つ以上の電極対のうち少なくともいくつかの電極対は共通の接地を共有している、請求項８に記載のシステム。
【請求項１１】
前記２つ以上の電極対のうち各々の電極対は別個の接地を有する、請求項８に記載のシステム。
【請求項１２】
前記層はセラミックである、請求項８に記載のシステム。
【請求項１３】
前記コントローラは、前記周波数のサブセットに基づいて前記２つ以上の電極対から電極対のサブセットを選択することによって、前記音を生成するために、前記周波数のサブセットに基づいて、前記圧電変換器に含まれる前記２つ以上の電極対から前記１つ以上の電極対を選択するように構成される、請求項８に記載のシステム。
【請求項１４】
前記コントローラは、
前記音を出力する高周波数範囲サブセットを前記周波数の範囲から決定することによって、前記音を出力する前記周波数のサブセットを前記周波数の範囲から決定し、
前記決定された高周波数範囲サブセットに基づいて、前記２つ以上の電極対から１つの電極対を選択することによって、前記周波数のサブセットに基づいて、前記２つ以上の電極対から電極対のサブセットを選択するように構成される、請求項１３に記載のシステム。
【請求項１５】
前記コントローラは、前記決定された高周波数範囲サブセットに基づいて、支持部に最も近接している特定の電極対を選択することによって、前記決定された高周波数範囲サブセットに基づいて、前記２つ以上の電極対から１つの電極対を選択するように構成されており、前記支持部は、ａ）前記圧電変換器に固定して接続されており、ｂ）前記負荷に接続されており、ｃ）前記圧電変換器から前記負荷に前記力を伝えるものである、請求項１４に記載のシステム。
【請求項１６】
前記コントローラは、
前記音とは異なる音である第２の音を出力する中周波数範囲サブセットを、前記周波数の範囲から決定するステップと、
前記決定された中周波数範囲サブセットに基づいて、前記圧電変換器に含まれる３つ以上の電極対から２つ以上の特定の電極対を選択するステップとを含み、前記３つ以上の電極対は前記２つ以上の電極対を含み、
前記駆動モジュールは、前記３つ以上の電極対の各々に接続されている前記駆動モジュールによって、前記選択された２つ以上の電極対の各々に電流を与えて、前記圧電変換器から前記負荷に力を加えさせるとともに、前記負荷に前記中周波数範囲サブセット内の前記第２の音を生成させるように構成されている、請求項１４に記載のシステム。
【請求項１７】
前記コントローラは、前記周波数のサブセットに基づいて前記２つ以上の電極対のすべてを選択することにより、前記音を生成するために、前記周波数のサブセットに基づいて、前記圧電変換器に含まれる前記２つ以上の電極対から前記１つ以上の電極対を選択するように構成されている、請求項８に記載のシステム。
【請求項１８】
前記コントローラは、
前記音を出力する低周波数範囲サブセットを前記周波数の範囲から決定することによって、前記音を出力する前記周波数のサブセットを前記周波数の範囲から決定し、
前記決定された低周波数範囲サブセットに基づいて前記２つ以上の電極対のすべてを選択することによって、前記周波数のサブセットに基づいて前記２つ以上の電極対のすべてを選択するように構成されている、請求項１７に記載のシステム。
【請求項１９】
装置であって、
スマートフォンを備え、前記スマートフォンは、
内容を表示するように構成されたディスプレイと、
圧電変換器とを含み、前記圧電変換器は
２つ以上の電極対を含み、前記２つ以上の電極対の各々は、ａ）前記圧電変換器に含まれる層の第１の側に第１の電極を含み、ｂ）前記層のうち前記第１の側とは反対側の第２の側に第２の電極を含み、ｃ）前記層のうち異なる部分に接続されており、
周波数の範囲内の音波を生成するように負荷を振動させるための力を生成するように適合されており、前記スマートフォンはさらに、
コントローラを含み、前記コントローラは、
前記圧電変換器のために、音を出力する周波数のサブセットを前記周波数の範囲から決定し、
前記音を生成するために、前記周波数のサブセットに基づいて、前記圧電変換器に含まれる前記２つ以上の電極対から１つ以上の電極対を選択するように構成されており、前記スマートフォンはさらに、
駆動モジュールを含み、前記駆動モジュールは、
前記２つ以上の電極対の各々に接続されているとともに、前記２つ以上の電極対のうち少なくともいくつかに電流を与えて、前記負荷への印加時に前記負荷に音を生成させる力を前記圧電変換器に生成させるように適合されており、
前記選択された１つ以上の電極対の各々に電流を与えて、前記負荷への印加時に前記負荷に前記周波数のサブセット内の前記音を生成させる力を前記圧電変換器に生成させるように構成されており、前記スマートフォンはさらに、
前記スマートフォンのためのアプリケーションを実行するように構成された１つ以上のアプリケーションプロセッサと、
命令が格納されている１つ以上のメモリとを含み、前記命令は、前記１つ以上のアプリケーションプロセッサによって実行されると、前記１つ以上のアプリケーションプロセッサに前記アプリケーションを実行させるように動作可能である、装置。
【請求項２０】
前記ディスプレイは前記負荷を含む、請求項１９に記載の装置。
【発明の詳細な説明】
【背景技術】
【０００１】
背景
いくつかの装置では、分布振動モード形スピーカ（distributed mode loudspeaker：ＤＭＬ）を用いて音を生成している。ＤＭＬはパネルを振動させることによって音を生成するスピーカである。ＤＭＬは、ボイスコイルアクチュエータの代わりに分布振動モード形アクチュエータ（distributed mode actuator：ＤＭＡ）（たとえば、圧電変換器）を用いてパネルを振動させて音を生成してもよい。たとえば、スマートフォンは、スマートフォンのディスプレイパネル（たとえば、ＬＣＤパネルまたはＯＬＥＤパネル）に力を加えるＤＭＡを含み得る。この力によってもたらされるディスプレイパネルの振動が周囲の空気と連動して、たとえば、人の耳に聞こえ得る２０Ｈｚ〜２０ｋＨｚの範囲の音波を生成する。
【発明の概要】
【課題を解決するための手段】
【０００２】
概要
分布振動モード形スピーカにおける圧電変換器は、異なる周波数で音を生成するのに用いられる複数の電極対を含み得る。たとえば、圧電変換器は、各々の電極対の間に延在する圧電材料（たとえば、圧電セラミック材料）の層を含み得る。たとえば、この層は、電極対のうち当該層の上にある第１の電極と、電極対のうち当該層の下にある第２の電極とを有し得る。
【０００３】
分布振動モード形スピーカは駆動モジュールを含む。駆動モジュールは、複数の電極対のうち１つ以上を選択的に通電して（energize）、周波数の範囲内のうち、分布振動モード形が音を生成できる特定の周波数のサブセットで音を生成する。駆動モジュールは、１つ以上の選択された電極対に電流を与えて、分布振動モード形アクチュエータに接続された負荷（たとえば、ディスプレイパネル）に特定の周波数のサブセットで音を生成させ得る。
【０００４】
概して、この明細書に記載される主題の１つの革新的な局面は以下の方法で具体化することができる。当該方法は、周波数の範囲内の音波を生成するために負荷を振動させるための力を生成するように適合された分布振動モード形スピーカの圧電変換器のために、音を出力する周波数のサブセットを当該周波数の範囲から決定する動作と、音を生成するために、当該周波数のサブセットに基づいて、当該圧電変換器に含まれる２つ以上の電極対から１つ以上の電極対を選択する動作とを含み、各々の電極対は、当該圧電変換器に含まれる層の第１の側の第１の電極と、当該層のうち第１の側とは反対側の第２の側にある第２の電極とを含み、当該層の別の部分に接続されている。当該方法はさらに、２つ以上の電極対の各々に接続された駆動モジュールによって、選択された１つ以上の電極対の各々に電流を与えて、負荷への印加時に当該負荷に周波数のサブセット内の音を生成させる力を当該圧電変換器に生成させる動作を含む。この局面の他の実施形態は、対応するコンピュータシステム、装置、および１つ以上のコンピュータストレージデバイスに記録されたコンピュータプログラムを含み、各々は、方法の処理を実行するように構成されている。１つ以上のコンピュータのシステムは、動作時に上記処理を当該システムに実行させるソフトウェア、ファームウェア、ハードウェア、またはこれらの組合せが当該システムにインストールされていることにより、特定の動作または処理を実行するように構成され得る。１つ以上のコンピュータプログラムは、データ処理装置によって実行されたときに、装置に当該処理を実行させる命令を含むことによって、特定の動作または処理を実行するように構成され得る。
【０００５】
概して、この明細書に記載される主題の１つの革新的な局面は、分布振動モード形スピーカを含むシステムにおいて具体化することができる。分布振動モード形スピーカは、２つ以上の電極対を含む圧電変換器を備える。当該２つ以上の電極対の各々は、ａ）圧電変換器に含まれる層の第１の側に第１の電極を含み、ｂ）当該層のうち第１の側とは反対側の第２の側に第２の電極を含み、ｃ）当該層のうち異なる部分に接続されている。圧電変換器は、周波数の範囲内の音波を生成するように負荷を振動させるための力を生成するように適合されている。分布振動モード形スピーカはさらにコントローラを備える。当該コントローラは、当該圧電変換器のために、音を出力する周波数のサブセットを当該周波数の範囲から決定し、音を生成するために、当該周波数のサブセットに基づいて、当該圧電変換器に含まれる２つ以上の電極対から１つ以上の電極対を選択するように構成されている。当該分布振動モード形スピーカはさらに駆動モジュールを備える。当該駆動モジュールは、当該２つ以上の電極対の各々に接続されているとともに、当該２つ以上の電極対のうち少なくともいくつかに電流を与えて、負荷への印加時に当該負荷に音を生成させる力を当該圧電変換器に生成させるように適合されており、かつ、当該選択された１つ以上の電極対の各々に電流を与えて、負荷への印加時に当該負荷に当該周波数のサブセット内の音を生成させる力を当該圧電変換器に生成させるように構成されている。この局面の他の実施形態は、対応するコンピュータシステム、方法、および１つ以上のコンピュータストレージデバイスに記録されたコンピュータプログラムを含み、各々は、動作の処理を実行するように構成されている。コンピュータシステムは、動作時に上記処理を当該システムに実行させるソフトウェア、ファームウェア、ハードウェア、またはこれらの組合せが当該システムにインストールされていることにより、特定の動作または処理を実行するように構成され得る。１つ以上のコンピュータプログラムは、データ処理装置によって実行されたときに、装置に処理を実行させる命令を含むことによって、特定の動作または処理を実行するように構成され得る。
【０００６】
概して、この明細書中に記載される主題の革新的な一局面は、スマートフォンを含む装置において具体化することができる。スマートフォンは、内容を表示するように構成されたディスプレイと、２つ以上の電極対を含む圧電変換器とを備える。２つ以上の電極対の各々は、ａ）当該圧電変換器に含まれる層の第１の側に第１の電極を含み、ｂ）当該層のうち第１の側とは反対側の第２の側に第２の電極を含み、ｃ）当該層のうち異なる部分に接続されている。前記圧電変換器は、周波数の範囲内の音波を生成するように負荷を振動させるための力を生成するように適合されている。当該スマートフォンはさらにコントローラを備える。当該コントローラは、当該圧電変換器のために、音を出力する周波数のサブセットを当該周波数の範囲から決定し、音を生成するために、当該周波数のサブセットに基づいて、当該圧電変換器に含まれる２つ以上の電極対から１つ以上の電極対を選択するように構成されている。当該スマートフォンはさらに駆動モジュールを備える。当該駆動モジュールは、当該２つ以上の電極対の各々に接続されているとともに、当該２つ以上の電極対のうち少なくともいくつかに電流を与えて、負荷への印加時に当該負荷に音を生成させる力を当該圧電変換器に生成させるように適合されており、かつ、当該選択された１つ以上の電極対の各々に電流を与えて、負荷への印加時に当該負荷に当該周波数のサブセット内の音を生成させる力を当該圧電変換器に生成させるように構成されている。当該スマートフォンはさらに、当該スマートフォンのためのアプリケーションを実行するように構成された１つ以上のアプリケーションプロセッサと、命令が格納されている１つ以上のメモリとを備え、当該命令は、当該１つ以上のアプリケーションプロセッサによって実行されると、当該１つ以上のアプリケーションプロセッサに当該アプリケーションを実行させるように動作可能である。この局面の他の実施形態は、対応するコンピュータシステム、方法、および１つ以上のコンピュータストレージデバイスに記録されたコンピュータプログラムを含み、各々は、動作の処理を実行するように構成されている。コンピュータシステムは、動作時に上記処理を当該システムに実行させるソフトウェア、ファームウェア、ハードウェア、またはこれらの組合せが当該システムにインストールされていることにより、特定の動作または処理を実行するように構成され得る。１つ以上のコンピュータプログラムは、データ処理装置によって実行されたときに、装置に処理を実行させる命令を含むことによって、特定の動作または処理を実行するように構成され得る。
【０００７】
上述および他の実施形態は各々、任意には、以下の特徴の１つ以上を単独でまたは組合わせて含み得る。音を生成するために、当該周波数のサブセットに基づいて、当該圧電変換器に含まれる当該２つ以上の電極対から当該１つ以上の電極対を選択するステップは、当該周波数のサブセットに基づいて、当該２つ以上の電極対から電極対のサブセットを選択するステップを含み得る。当該音を出力する当該周波数のサブセットを当該周波数の範囲から決定するステップは、当該音を出力する高周波数範囲サブセットを当該周波数の範囲から決定するステップを含み得る。当該周波数のサブセットに基づいて、当該２つ以上の電極対から電極対のサブセットを選択するステップは、当該決定された高周波数範囲サブセットに基づいて、当該２つ以上の電極対から１つの電極対を選択するステップを含み得る。当該決定された高周波数範囲サブセットに基づいて、当該２つ以上の電極対から１つの電極対を選択するステップは、当該決定された高周波数範囲サブセットに基づいて、支持部（support）に最も近接している特定の電極対を選択するステップを含み得る。当該支持部は、ａ）当該圧電変換器に固定して接続されており、ｂ）当該負荷に接続されており、ｃ）当該力を当該圧電変換器から当該負荷に伝えるものである。当該方法は、当該音とは異なる音である第２の音を出力する中周波数範囲サブセットを、当該周波数の範囲から決定するステップと、当該決定された中周波数範囲サブセットに基づいて、当該圧電変換器に含まれる３つ以上の電極対から２つ以上の特定の電極対を選択するステップとを含み得る。当該３つ以上の電極対は当該２つ以上の電極対を含んでいる。当該方法はさらに、当該３つ以上の電極対の各々に接続されている当該駆動モジュールによって、当該選択された２つ以上の電極対の各々に電流を与えて、前記圧電変換器から当該負荷に力を加えさせるとともに、当該負荷に当該中周波数範囲サブセット内の当該第２の音を生成させるステップを含み得る。
【０００８】
いくつかの実現例においては、当該音を生成するために、当該周波数のサブセットに基づいて、当該圧電変換器に含まれる当該２つ以上の電極対から当該１つ以上の電極対を選択するステップは、当該周波数のサブセットに基づいて当該２つ以上の電極対のすべてを選択するステップを含み得る。当該音を出力する当該周波数のサブセットを当該周波数の範囲から決定するステップは、当該音を出力する低周波数範囲サブセットを当該周波数の範囲から決定するステップを含み得る。当該周波数のサブセットに基づいて当該２つ以上の電極対のすべてを選択するステップは、当該決定された低周波数範囲サブセットに基づいて当該２つ以上の電極対のすべてを選択するステップを含み得る。
【０００９】
いくつかの実現例においては、当該システムは当該負荷を含む。当該システムはスマートフォンを含み得る。当該負荷は、たとえば、内容を表示するように構成された、当該スマートフォンのディスプレイであり得る。当該ディスプレイは、当該スマートフォンを操作するユーザに内容を表示し得る。当該分布振動モード形スピーカは、当該圧電変換器に固定して接続された支持部を含み得る。当該支持部は、当該負荷に接続されると、当該圧電変換器によって生成される力のうち少なくともいくらかを当該負荷に伝える。当該２つ以上の電極対のうち少なくともいくつかの電極対は、共通の接地を共有していてもよく、別個の接地を有していてもよい。当該電極対のうちのいくつかは共通の接地を共有していてもよく、当該電極対のうちのいくつかは別個の接地を有していてもよい。当該２つ以上の電極対のうち各々の電極対は別個の接地を有していてもよい。当該層はセラミックであってもよい。
【００１０】
他の利点のうち、以下に記載されるシステムおよび方法は、分布振動モード形スピーカの電力使用を削減し得るか、分布振動モード形スピーカにおけるインピーダンスを増大させ得るか、分布振動モード形スピーカにおける静電容量を低減させ得るか、またはこれらのうち２つ以上の組合わせであり得る。
【００１１】
この明細書中に記載される主題の１つ以上の実現例の詳細が、添付の図面および以下の説明において述べられる。主題についての他の特徴、局面および利点が以下の説明、添付の図面および添付の特許請求の範囲から明らかになるだろう。
【図面の簡単な説明】
【００１２】
【図１】図１Ａ〜１Ｃは、図分布振動モード形スピーカを含むデバイスの例を示す図である。
【図２Ａ】出力周波数サブセットに基づいて変換器層を作動させるために電極対を別個に通電する分布振動モード形スピーカを示す図である。
【図２Ｂ】出力周波数サブセットに基づいて変換器層を作動させるために電極対を別個に通電する分布振動モード形スピーカを示す図である。
【図２Ｃ】出力周波数サブセットに基づいて変換器層を作動させるために電極対を別個に通電する分布振動モード形スピーカを示す図である。
【図３】圧電変換器に含まれる２つ以上の電極対のサブセットに電流を与えるためのプロセスを示すフロー図である。
【発明を実施するための形態】
【００１３】
さまざまな図面内の同様の参照番号および符号は同様の要素を示している。
詳細な説明
図１Ａ〜図１Ｃは、分布振動モード形スピーカ１０２を含むデバイス１００の例を示す。スマートフォンまたは別のタイプのコンピュータなどのデバイス１００は、図１Ｃに示される分布振動モード形スピーカ１０２を用いて音を生成する。音は、電話での会話、音楽、オーディオストリーム、ビデオ用の音、またはゲーム用の音などの如何なるタイプの音であってもよい。
【００１４】
分布振動モード形スピーカ１０２は、振動して音波を生成するパネル１０４を含む。パネル１０４は、デバイス１００に含まれていて音波を生成することができる任意の適切なパネルであり得る。たとえば、パネル１０４はデバイス１００に含まれるディスプレイパネルであってもよい。ディスプレイパネルは、タッチスクリーンまたは他の任意の適切なタイプのディスプレイを含み得る。
【００１５】
パネル１０４は、図１Ｂおよび図１Ｃに示される支持部１０６に接続されている。支持部１０６は力を圧電変換器１０８からパネル１０４に伝える。パネル１０４は、支持部１０６がパネル１０４に対して効率的に力を伝えることができるように、支持部１０６に堅く接続されている。いくつかの実現例においては、パネル１０４は、デバイス１００の製造中に支持部１０６に取外し可能に接続されていてもよく、たとえば、支持部１０６はパネル１０４から取外すことができる。いくつかの例において、パネル１０４は支持部１０６に固定して接続されていてもよく、たとえば、支持部１０６は、支持部１０６をパネル１０４から取外すことで破損させることのないように、パネル１０４に永続的に固定されるように意図されている。
【００１６】
いくつかの実現例においては、別の構成要素がパネル１０４と支持部１０６との間を部分的に接続していてもよい。たとえば、支持部１０６は、パネル１０４に堅く繋がっているシャーシに堅く繋がっていてもよい。
【００１７】
圧電変換器１０８が支持部１０６に接続されていることで、圧電変換器１０８によって生成される力のうち少なくともいくらかを、圧電変換器１０８から支持部１０６を通じてパネル１０４へと伝えることが可能となる。圧電変換器１０８は、圧電変換器１０８が支持部１０６に対して効率的に力を伝えることができるように、支持部１０６に堅く接続されている。いくつかの例においては、圧電変換器１０８は、支持部１０６に固定して接続されており、たとえば、支持部１０６に永続的に固定されているので、取外すことで、支持部１０６、圧電変換器１０８またはこれら両方が破損する恐れがあるだろう。たとえば、圧電変換器１０８および支持部１０６のどちらも破損させることなく圧電変換器１０８を支持部１０６から取外せるように、圧電変換器１０８が取外し可能に支持部１０６に接続されていてもよい。
【００１８】
圧電変換器１０８は、分布振動モード形スピーカ１０２に含まれる駆動モジュールから信号を受信したことに応じて作動することによって、力を生成する。たとえば、圧電変換器１０８は複数の電極対１１０〜１１４を含む。複数の電極対１１０〜１１４は各々、駆動モジュールに接続されており、対応する電極対１１０〜１１４が駆動モジュールから起動信号（たとえば、電流）を受取ることを可能にする。電極対１１０〜１１４が駆動モジュールから信号を受取ると、電極対１１０〜１１４は、圧電変換器１０８の圧電材料の層１１６のうち少なくとも一部分にわたって電界を生成する。電界は圧電材料の寸法を物理的に変化させ、これに伴うアクチュエータの変位によって力を生成させる。
【００１９】
電極対１１０〜１１４は任意の適切な態様で層１１６に接続され得る。たとえば、電極対１１０〜１１４は、製造中（たとえば、堆積およびパターニングプロセス中）、層１１６に固定して接続されていてもよい。電極対１１０〜１１４は別個の接地を含んでいてもよい。たとえば、電極１１０ａ、１１２ａおよび１１４ａは、それぞれ対応する接地電極１１０ｂ、１１２ｂおよび１１４ｂを有する正電極であってもよい。圧電変換器１０８は、正電極と接地電極との任意の適切な組合わせを含み得る。たとえば、電極１１０ａ、１１２ｂおよび１１４ｂは正電極あり得る一方で、他の電極１１０ｂ、１１２ａおよび１１４ａは接地電極である。いくつかの例においては、電極対１１０〜１１４は共通の接地を含んでいてもよい。たとえば、電極１１０ａ、１１２ａおよび１１４ａは正電極であってもよく、電極１１０ｂ、１１２ｂおよび１１４ｂは単一の共通の接地電極であってもよい。
【００２０】
層１１６は任意の適切なタイプの圧電材料であってもよい。たとえば、層１１６はセラミック圧電材料または結晶圧電材料であってもよい。セラミック圧電材料の例として、たとえば、チタン酸バリウム、チタン酸ジルコン酸鉛、ビスマスフェライトおよびニオブ酸ナトリウムが含まれる。結晶圧電材料の例として、トパーズ、チタン酸鉛、ニオブ酸リチウムおよびタンタル酸リチウムが含まれる。
【００２１】
電極対１１０〜１１４によって層１１６を作動させることは、層１１６のうち一部分が層１１６の広い表面に対して垂直な垂直方向１１８に移動することであり得る。層１１６のうち別々の部分が、駆動モジュールから信号を受取る電極対１１０〜１１４に応じて別々に作動する。たとえば、第１の電極対１１０ａ〜１１０ｂが駆動モジュールから信号を受取ると、第１の電極対１１０ａ〜１１０ｂは、層１１６のうち、支持部１０６に最も近接しているとともに第１の電極対１１０ａ〜１１０ｂに接続されている部分を主として作動させ得る。第２の電極対１１２ａ〜１１２ｂが駆動モジュールから信号を受取ると、第２の電極対１１２ａ〜１１２ｂは、層１１６のうち第２の電極対１１２ａ〜１１２ｂに接続されている中間部分を主として作動させ得る。第３の電極対１１４ａ〜１１４ｂが駆動モジュールから信号を受取ると、第３の電極対１１４ａ〜１１４ｂは、層１１６のうち、支持部１０６から最も離れているとともに第３の電極対１１４ａ〜１１４ｂに接続されている端部分を主として作動させ得る。
【００２２】
いくつかの実現例においては、さまざまな電極対１１０〜１１４は、信号を受取るのに応じて、層１１６のそれぞれの部分を主として作動させる。なぜなら、層１１６のうち隣接する部分は、層１１６のうち電極対が接続されているそれぞれの部分よりも作動する度合いが低い可能性があるからである。たとえば、第１の電極対１１０ａ〜１１０ｂが駆動モジュールから信号を受取ると、第１の電極対１１０ａ〜１１０ｂは、層１１６のうち第１の電極対１１０ａ〜１１０ｂに接続されている部分を主として作動させて、力を生成するとともに、層１１６のうち第２の電極対１１２ａ〜１１２ｂに接続されている部分のうちのいくらかも作動させ得る。
【００２３】
分布振動モード形スピーカ１０２は複数の電極を含んでいることで、層１１６のうち別々の部分を別個に選択すること、通電すること、または選択および通電することが可能となる。たとえば、分布振動モード形スピーカ１０２は、電力消費を減らすために、特定の周波数で音をより良好に再生するように電極のうちいくつかを選択的に通電し得るかまたは両方を通電し得る。
【００２４】
図２Ａ〜図２Ｃは、出力周波数サブセットに基づいて変換器層２０４を作動させるために電極対２０２ａ〜２０２ｃを別個に通電する分布振動モード形スピーカ２００を示す。分布振動モード形スピーカ２００は、図１に関連付けて説明された分布振動モード形スピーカ１０２の一例であってもよい。電極対２０２ａ〜２０２ｃは電極対１１０〜１１４に対応し得る。変換器層２０４は層１１６に対応し得る。支持部２０８は支持部１０６に対応し得る。
【００２５】
分布振動モード形スピーカ２００に含まれる駆動モジュール２０６は、図２Ａに示されるように、高周波数音を生成する場合、電極対２０２ａ〜２０２ｃのうちいくつかだけを通電してもよい。いくつかの例においては、駆動モジュール２０６は、高周波数音を生成するために第１の電極対２０２ａを通電してもよい。第１の電極対２０２は、電極２０２ａ〜２０２ｃおよび変換器層２０４を含む圧電変換器が接続されている支持部に最も近接していてもよい。駆動モジュール２０６は、音を生成する際に電力消費を減らすために電極対２０２ａ〜２０２ｃのうちのいくつかだけを通電してもよい。
【００２６】
駆動モジュール２０６は、図２Ｂに示されるように、中周波数音を生成するために複数の電極対２０２ａ〜２０２ｂを通電し得る。複数の電極対２０２ａ〜２０２ｂは２つ以上の電極対を含み得る。複数の電極対２０２ａ〜２０２ｂは、分布振動モード形スピーカ２００に含まれる電極対２０２ａ〜２０２ｃのすべてよりも少なくてもよい。いくつかの例においては、駆動モジュール２０６は、中周波数音を生成するために、隣接する電極対（たとえば、支持部に最も近接している２つの電極対２０２ａ，２０２ｂまたは支持部２０８から最も離れている２つの電極対２０２ｂ，２０２ｃ）を選択して通電してもよい。いくつかの例においては、駆動モジュール２０６は、互いに隣接していない２つの電極対（たとえば、第１の電極対２０２ａおよび第３の電極対２０２ｃ）を選択して通電し得る。
【００２７】
駆動モジュール２０６は、図２Ｃに示されるように、低周波数音を生成するために複数の電極対２０２ａ〜２０２ｃを通電し得る。複数の電極対２０２ａ〜２０２ｃは３つ以上の電極対を含み得る。たとえば、駆動モジュール２０６は、低周波数音を生成するために分布振動モード形スピーカ２００に含まれる電極対２０２ａ〜２０２ｃをすべて選択して通電してもよい。駆動モジュール２０６は、分布振動モード形スピーカ２００によって低周波数音をより正確に再生するために、たとえば、より広範囲の低周波数音を再生するために、複数の電極対２０２ａ〜２０２ｃを選択してもよい。
【００２８】
図３は、圧電変換器に含まれる２つ以上の電極対のサブセットに電流を与えるためのプロセス３００を示すフロー図である。たとえば、プロセス３００は、デバイス１００のうち分布振動モード形スピーカ１０２によって使用され得る。
【００２９】
分布振動モード形スピーカは、出力する音を識別する入力を受取る（３０２）。たとえば、分布振動モード形スピーカに含まれる駆動モジュールまたはコントローラは、出力する音を識別する信号を受取り得る。信号は、スピーカ、分布振動モード形スピーカまたはこれら両方についての任意の適切なタイプの信号であり得る。駆動モジュールまたはコントローラは、デバイス上で実行されるアプリケーション（たとえば、スマートフォン上の電話用または音楽用のアプリケーション）から入力を受取り得る。駆動モジュールは、分布振動モード形スピーカ内の、コントローラと同じ構成要素であり得る。いくつかの例においては、駆動モジュールは、分布振動モード形スピーカ内のコントローラとは異なる構成要素であり得る。
【００３０】
分布振動モード形スピーカは周波数の範囲内の音波を生成するように構成される。たとえば、パネル、支持部および圧電変換器（これらすべてが分布振動モード形スピーカに含まれている）についての構成パラメータを潜在的に含む分布振動モード形スピーカの製造設計は、分布振動モード形スピーカが音を生成することができる周波数の範囲に対応し得る。
【００３１】
分布振動モード形スピーカは、音を出力する周波数のサブセットを決定する（３０４）。周波数のサブセットは、分布振動モード形スピーカが音を生成することができる周波数の範囲のうちの周波数のサブセットである。周波数のサブセットは、分布振動モード形スピーカが音を生成することができる周波数の範囲の適切なサブセットであり得る。駆動モジュールまたはコントローラは、信号からのデータを用いて周波数のサブセットを決定し得る。たとえば、駆動モジュールまたはコントローラは、音を出力する周波数のサブセットを信号によって識別すると決定してもよい。
【００３２】
分布振動モード形スピーカは、音を生成するために、周波数のサブセットに基づいて、圧電変換器に含まれる２つ以上の電極対から１つ以上の電極対を選択する（３０６）。駆動モジュールまたはコントローラは、任意の適切な方法を用いて、周波数のサブセットに基づいて１つ以上の電極対を選択し得る。いくつかの例においては、駆動モジュールまたはコントローラは、音を生成するために、周波数のサブセットについて、通電すべきいくつかの電極対、通電すべき電極対のための識別子、またはこれら両方を出力するアルゴリズムを用いてもよい。たとえば、駆動モジュールまたはコントローラは、圧電変換器に含まれる２つ以上の電極対から１つ以上の電極対を選択するときに値を入力するために、周波数の範囲から周波数サブセット範囲のマッピングを用いてもよい。
【００３３】
いくつかの例においては、コントローラが駆動モジュールとは異なる構成要素であって、周波数のサブセットを決定する場合、当該コントローラは周波数のサブセットについてのデータを駆動モジュールに提供する。たとえば、コントローラは、音を出力する周波数のサブセットを決定して、周波数のサブセットについてのデータを駆動モジュールに提供する。周波数のサブセットについてのデータは、周波数のサブセットを識別するデータ（たとえば、周波数のサブセットについての数値を表わすデータ）であってもよい。周波数のサブセットについてのデータを受取ったことに応じて、駆動モジュールは、周波数のサブセットについてのデータを用いて、圧電変換器に含まれる１つ以上の電極対を選択して、音を生成する。
【００３４】
分布振動モード形スピーカは圧電変換器を含む。分布振動モード形スピーカは、２以上の任意の適切な数の電極対を含み得る。たとえば、分布振動モード形スピーカは、２個、３個、４個、５個、６個、または９個の電極対を含み得る。
【００３５】
分布振動モード形スピーカは、駆動モジュールを用いて、選択された１つ以上の電極対の各々に電流を与える（３０８）。たとえば、駆動モジュールは、選択された１つ以上の電極対のうち正電極に電流を与える。電極対のうち少なくともいくつかが共通の接地を共有している場合、駆動モジュールは、別個の正電極（その各々は電極対のうちの１つである）に入力電流を与えるとともに、分布振動モード形スピーカは、電極対から共通の接地を介して出力電流を受取る。電極対が別個の接地電極を有している場合、分布振動モード形スピーカは、選択された１つ以上の電極対から別個の正電極に入力電流を与えることに基づいて、選択された１つ以上の電極対のうち別個の接地電極から出力電流を受取る。
【００３６】
分布振動モード形スピーカは、負荷への印加時に当該負荷に周波数のサブセット内の音を生成させる力を、選択された１つ以上の電極対を用いる圧電変換器で、生成する（３１０）。たとえば、電流が電極対によって受取られると、圧電変換器に含まれる層を作動させて力を生成させる。分布振動モード形スピーカに含まれる支持部は、力または力の少なくとも一部を圧電変換器からパネルに伝え得る。力または力の一部がパネルによって受取られると、当該パネルを振動させて、入力によって識別される音を生成させる。
【００３７】
いくつかの実現例においては、プロセス３００が含み得るステップはより多くてもまたはより少なくてもよく、ステップのうちのいくつかは複数のステップに分割することができる。たとえば、分布振動モード形スピーカは、プロセス３００における他のステップを実行することなく、音を出力する周波数のサブセットを決定して、１つ以上の電極対を選択して音を生成し得る。いくつかの例においては、分布振動モード形スピーカは、プロセス３００における他のステップを実行することなく、ステップ３０４、３０６および３０８を実行してもよい。
【００３８】
プロセス３００におけるステップのうち１つ以上は、プロセス３００における先のステップに応じて自動的に実行されてもよい。たとえば、分布振動モード形スピーカは、入力を受取ったことに応じて周波数のサブセットを決定し得る。分布振動モード形スピーカは、周波数のサブセットを決定したことに応じて、圧電変換器に含まれる２つ以上の電極対から１つ以上の電極対を選択してもよい。駆動モジュールは、１つ以上の電極対を選択したことに応じて、選択された１つ以上の電極対の各々に電流を与えてもよい。圧電変換器は、駆動モジュールから電流を受取ったことに応じて力を生成してもよい。
【００３９】
いくつかの実現例においては、分布振動モード形スピーカがスマートフォンに含まれている場合、スマートフォンは、ディスプレイ、たとえば、ディスプレイパネル、１つ以上のプロセッサ、および１つ以上のメモリを含み得る。ディスプレイは、音を生成するために分布振動モード形スピーカによって用いられる負荷であってもよい。いくつかの例においては、スマートフォンは、音を生成するときに分布振動モード形スピーカが用いるディスプレイとは異なる負荷を含んでいてもよい。
【００４０】
メモリは、アプリケーションについての命令を格納していてもよい。たとえば、そこから、分布振動モード形スピーカが、出力する音を識別する入力を受取り得る。１つ以上のプロセッサ（たとえば１つ以上のアプリケーションプロセッサ）は、１つ以上のメモリ上に格納された命令を用いてアプリケーションを実行し得る。アプリケーション（たとえば、電話アプリケーション、音楽アプリケーション、またはゲーム）の実行中、アプリケーションは、ユーザに出力するべき音を決定し得る。アプリケーションは、音についてのデータを分布振動モード形スピーカに提供する。
【００４１】
分布振動モード形スピーカにおけるコントローラまたは駆動モジュールは、音についてのデータを入力として受取る。コントローラは、スマートフォン内の同じ構成要素であってもよい。いくつかの例においては、コントローラは、スマートフォン内の、駆動モジュールとは異なる構成要素である。コントローラ、駆動モジュールまたはこれら２つの組合わせは、音についてのデータを用いて、周波数のサブセットを決定し、１つ以上の電極対を選択し、選択された１つ以上の電極対に電流を与える。
【００４２】
いくつかの例においては、１つ以上のプロセッサ、１つ以上のメモリ、またはこれら両方は、駆動モジュール、コントローラまたはこれら両方とは別個である。たとえば、コントローラ、駆動モジュールまたはこれら両方は、少なくとも１つのプロセッサ、少なくとも１つのメモリまたはこれら両方を含んでいてもよい。少なくとも１つのプロセッサは、１つ以上のプロセッサとは異なるプロセッサのセットであってもよい。少なくとも１つのメモリは、当該１つ以上のメモリとは異なるメモリであってもよい。
【００４３】
本明細書に記載されている主題および機能的動作の実施形態は、デジタル電子回路で実現されてもよく、有形的に具体化されたコンピュータソフトウェアもしくはファームウェアで実現されてもよく、本明細書に開示されている構造およびそれらの構造的等価物を含むコンピュータハードウェアで実現されてもよく、またはそれらのうちの１つ以上の組合せで実現されてもよい。本明細書中に記載される主題の実施形態は、１つ以上のコンピュータプログラムとして、すなわちデータ処理装置による実行のために、またはデータ処理装置の動作を制御するために有形の非一時的なプログラムキャリア上で符号化されるコンピュータプログラム命令の１つ以上のモジュールとして実現されてもよい。代替的または付加的には、プログラム命令は、データ処理装置によって実行されるように好適な受信機装置に送信される情報を符号化するために生成される人為的に生成された伝搬信号（たとえば機械によって生成された電気信号、光学信号または電磁気信号）で符号化することができる。コンピュータ記憶媒体は、マシン読取可能なストレージデバイス、マシン読取可能な記憶基板、ランダムもしくはシリアルアクセスメモリデバイス、またはこれらのうちの１つ以上の組合せであってもよい。
【００４４】
「データ処理装置」という語は、データを処理するためのあらゆる種類の装置、デバイスおよびマシンを包含し、一例として、プログラム可能なプロセッサまたは複数のプロセッサを含む。装置はまた、専用論理回路類、たとえばフィールドプログラマブルゲートアレイ（field programmable gate array：ＦＰＧＡ）、特定用途向け集積回路（application-specific integrated circuit：ＡＳＩＣ）であってもよく、またはこれらをさらに含み得る。装置は、任意には、ハードウェアに加えて、コンピュータプログラムのための実行環境を作成するコード、たとえば、プロセッサファームウェア、プロトコルスタック、オペレーティングシステムまたはこれらのうち１つ以上の組合せを構成するコード、を含み得る。
【００４５】
たとえば、分布振動モード形スピーカ（たとえば、駆動モジュール、コントローラ、またはこれら両方）はデータ処理装置を含み得る。分布振動モード形スピーカは、この明細書中に記載される動作のうち１つ以上を実行するために少なくとも１つのメモリと共にデータ処理装置を用い得る。
【００４６】
コンピュータプログラム（プログラム、ソフトウェア、ソフトウェアアプリケーション、モジュール、ソフトウェアモジュール、スクリプトまたはコードとも称され得るかまたは記載され得る）は、コンパイラ型言語もしくはインタープリタ型言語または宣言型言語もしくは手続き型言語を含む任意の形態のプログラミング言語で書込まれてもよく、スタンドアロンのプログラムとして、またはコンピューティング環境での使用に適したモジュール、コンポーネント、サブルーチンまたは他のユニットとして任意の形態で展開されてもよい。コンピュータプログラムは、ファイルシステム内のファイルに対応していてもよいが、必ずしも対応している必要はない。プログラムは、他のプログラムもしくはデータ（たとえばマークアップ言語文書に格納された１つ以上のスクリプト）を保持するファイルの一部に格納されてもよく、当該プログラムに専用の単一のファイルに格納されてもよく、または複数の調整されたファイル（たとえば１つ以上のモジュール、サブプログラム、またはコードの一部を格納するファイル）に格納されてもよい。コンピュータプログラムは、１つのコンピュータ上で、または、一箇所に位置するかもしくは複数の箇所にまたがって分散されて通信ネットワークによって相互接続されている複数のコンピュータ上で実行されるように展開されてもよい。
【００４７】
本明細書中に記載されているプロセスおよび論理フローは、入力データ上で動作して出力を生成することによって機能を実行するように１つ以上のコンピュータプログラムを実行する１つ以上のプログラム可能なプロセッサによって実行され得る。また、プロセスおよび論理フローは、特殊用途論理回路、たとえばＦＰＧＡ（フィールド・プログラマブル・ゲート・アレイ）またはＡＳＩＣ（特殊用途向け集積回路）によって実行されてもよく、装置も、特殊用途論理回路、たとえばＦＰＧＡまたはＡＳＩＣとして実現されてもよい。
【００４８】
コンピュータプログラムの実行に適したコンピュータは、一例として、汎用マイクロプロセッサ、特殊用途マイクロプロセッサもしくはこれら両方を含むか、または、他の任意の種類の中央処理装置を含む。概して、中央処理装置は、リードオンリメモリまたはランダムアクセスメモリまたはそれら両方から命令およびデータを受信するであろう。コンピュータの必須の要素は、命令を実行または実現するための中央処理装置と、命令およびデータを格納するための１つ以上のメモリデバイスとである。一般に、コンピュータは、データを格納するための１つ以上の大容量記憶装置、たとえば磁気ディスク、光磁気ディスクまたは光ディスクも含み、または、当該１つ以上の大容量記憶装置からデータを受信するもしくは当該１つ以上の大容量記憶装置にデータを転送するように、もしくは受信も転送も行なうように動作可能に結合されるであろう。しかし、コンピュータは、このようなデバイスを有する必要はない。さらに、コンピュータは、別のデバイス、たとえば数例を挙げると、携帯電話、パーソナルデジタルアシスタント（personal digital assistant：ＰＤＡ）、携帯型オーディオまたはビデオプレーヤ、ゲームコンソール、グローバル・ポジショニング・システム（Global Positioning System：ＧＰＳ）受信機、またはポータブルストレージデバイス（たとえばユニバーサル・シリアル・バス（universal serial bus：ＵＳＢ）フラッシュドライブ）に組込まれてもよい。
【００４９】
コンピュータプログラム命令およびデータを格納するのに適したコンピュータ読取可能な媒体は、すべての形態の不揮発性メモリ、媒体およびメモリデバイスを含み、一例としてたとえばＥＰＲＯＭ、ＥＥＰＲＯＭおよびフラッシュメモリデバイスといった半導体メモリデバイス、たとえば内蔵ハードディスクまたは取外し可能なディスクといった磁気ディスク、光磁気ディスク、ならびにＣＤ−ＲＯＭディスクおよびＤＶＤ−ＲＯＭディスクを含む。プロセッサおよびメモリは、特殊用途論理回路によって補完されてもよく、または特殊用途論理回路に組込まれてもよい。
【００５０】
分布振動モード形スピーカは、命令を格納する１つ以上のメモリを含み得る。これら命令は、分布振動モード形スピーカによって実行されると、この明細書中に記載される１つ以上の動作を分布振動モード形スピーカに実行させる。たとえば、これら命令は、分布振動モード形スピーカに、出力周波数サブセットを決定させ得るか、１つ以上の電極を通電し得るか、またはこれら両方を実行させ得る。いくつかの例においては、駆動モジュールまたはコントローラまたはこれら両方は、１つ以上のメモリまたは１つ以上のメモリのうちのいくつかを含み得る。
【００５１】
ユーザとの対話を提供するために、この明細書中に記載される主題の実施形態は、情報をユーザに表示するための表示装置、たとえば液晶表示（liquid crystal display：ＬＣＤ）モニタと、ユーザがコンピュータに入力することを可能にするキーボードおよびポインティングデバイス、たとえばマウスまたはトラックボールとを有するコンピュータ上で実現され得る。ユーザとの対話を提供するために他の種類のデバイスが使用されてもよく、たとえば、ユーザに提供されるフィードバックは、任意の形態の感覚フィードバック、たとえば視覚フィードバック、聴覚フィードバックまたは触覚フィードバックであってもよく、ユーザからの入力は、音響入力、音声入力または触知入力を含む任意の形態で受信されてもよい。また、コンピュータは、ユーザによって使用されるデバイスに文書を送り、ユーザによって使用されるデバイスから文書を受信することによって、たとえばウェブブラウザから受信された要求に応答してユーザのデバイス上でウェブブラウザにウェブページを送ることによって、ユーザと対話し得る。
【００５２】
本明細書は多くの具体的な実現例の詳細を含んでいるが、これらは、クレームされ得るものの範囲を限定するものとして解釈されるべきではなく、むしろ特定の実施形態に特有となり得る特徴の説明であると解釈されるべきである。別々の実施形態の文脈において本明細書に記載されている特定の特徴は、単一の実施形態において組合せて実現されてもよい。逆に、単一の実施形態の文脈において記載されているさまざまな特徴は、複数の実施形態において別々に、または任意の好適なサブコンビネーションで実現されてもよい。さらに、特徴は特定の組合せで作用するものとして上述され得るとともに、さらにはそのようなものとして最初にクレームされ得るが、クレームされている組合せのうちの１つ以上の特徴は、場合によっては、当該組合せから削除されてもよく、クレームされている組合せは、サブコンビネーションまたはサブコンビネーションの変形例に向けられてもよい。
【００５３】
同様に、動作は特定の順序で図面に示されているが、これは、このような動作が、望ましい結果を達成するために、示されている特定の順序もしくは連続的な順序で実行されなければならないと理解されるべきではなく、または、望ましい結果を達成するために、すべての示されている動作が実行されなければならないと理解されるべきではない。特定の状況では、マルチタスクおよび並列処理が有利である場合がある。さらに、上述の実施形態におけるさまざまなシステムモジュールおよび構成要素の分離は、すべての実施形態においてこのような分離が必要であると理解されるべきではなく、記載されているプログラム構成要素およびシステムが、一般に単一のソフトウェア製品に一体化されてもよく、または複数のソフトウェア製品にパッケージングされてもよいことが理解されるべきである。
【００５４】
主題の特定の実施形態が説明されてきた。他の実施形態は添付の特許請求の範囲内である。たとえば、特許請求の範囲に記載されている動作は、異なる順序で実行されて、依然として望ましい結果を達成することができる。一例として、添付の図面に示されているプロセスは、所望の結果を達成するために、必ずしも、図示される特定の順序または連続的順序を必要とするものではない。場合によっては、マルチタスクおよび並列処理が有利であるかもしれない。
【図１】
2021507547.tif 000003
【図２Ａ】
2021507547.tif 000004
【図２Ｂ】
2021507547.tif 000005
【図２Ｃ】
2021507547.tif 000006
【図３】
2021507547.tif 000007
【手続補正書】
【提出日】令和2年8月19日(2020.8.19)
【手続補正１】
【補正対象書類名】特許請求の範囲
【補正対象項目名】全文
【補正方法】変更
【補正の内容】
【特許請求の範囲】
【請求項１】
方法であって、
周波数の範囲内の音波を生成するためにパネルを振動させるための力を生成するように適合された分布振動モード形スピーカの圧電変換器のために、音を出力する周波数のサブセットを前記周波数の範囲から決定するステップを含み、前記分布振動モード形スピーカは、力を前記圧電変換器から前記パネルに伝える支持部を備え、前記支持部は、前記圧電変換器から前記パネルを分離しており、前記支持部は第１の端部が前記パネルに取付けられているとともに第２の端部が前記圧電変換器に取付けられており、前記圧電変換器は、前記パネルと平行に前記支持部から前記圧電変換器の自由端にまで延在しており、前記方法はさらに、
前記音を生成するために、前記周波数のサブセットに基づいて、前記圧電変換器に含まれる２つ以上の電極対から１つ以上の電極対を選択するステップとを含み、各々の電極対は、前記圧電変換器に含まれる層の第１の側の第１の電極と、前記層のうち前記第１の側とは反対側の第２の側にある第２の電極とを含み、前記層の別の部分に接続され、前記方法はさらに、
前記２つ以上の電極対の各々に接続された駆動モジュールによって、前記選択された１つ以上の電極対の各々に電流を与えて、前記パネルへの印加時に前記パネルに前記周波数のサブセット内の前記音を生成させる力を前記圧電変換器に生成させるステップを含む、方法。
【請求項２】
前記音を生成するために、前記周波数のサブセットに基づいて、前記圧電変換器に含まれる前記２つ以上の電極対から前記１つ以上の電極対を選択するステップは、前記周波数のサブセットに基づいて、前記２つ以上の電極対から電極対のサブセットを選択するステップを含む、請求項１に記載の方法。
【請求項３】
前記音を出力する前記周波数のサブセットを前記周波数の範囲から決定するステップは、前記音を出力する高周波数範囲サブセットを前記周波数の範囲から決定するステップを含み、
前記周波数のサブセットに基づいて、前記２つ以上の電極対から電極対のサブセットを選択するステップは、前記決定された高周波数範囲サブセットに基づいて、前記２つ以上の電極対から１つの電極対を選択するステップを含む、請求項２に記載の方法。
【請求項４】
前記決定された高周波数範囲サブセットに基づいて、前記２つ以上の電極対から１つの電極対を選択するステップは、前記決定された高周波数範囲サブセットに基づいて、前記支持部に最も近接している特定の電極対を選択するステップを含む、請求項３に記載の方法。
【請求項５】
前記音とは異なる音である第２の音を出力する中周波数範囲サブセットを、前記周波数の範囲から決定するステップと、
前記決定された中周波数範囲サブセットに基づいて、前記圧電変換器に含まれる３つ以上の電極対から２つ以上の特定の電極対を選択するステップとを含み、前記３つ以上の電極対は前記２つ以上の電極対を含んでおり、前記方法はさらに、
前記３つ以上の電極対の各々に接続されている前記駆動モジュールによって、前記選択された２つ以上の電極対の各々に電流を与えて、前記圧電変換器から前記パネルに力を加えさせるとともに、前記パネルに前記中周波数範囲サブセット内の前記第２の音を生成させるステップを含む、請求項３または４に記載の方法。
【請求項６】
前記音を生成するために、前記周波数のサブセットに基づいて、前記圧電変換器に含まれる前記２つ以上の電極対から前記１つ以上の電極対を選択するステップは、前記周波数のサブセットに基づいて前記２つ以上の電極対のすべてを選択するステップを含む、請求項１から５のいずれか１項に記載の方法。
【請求項７】
前記音を出力する前記周波数のサブセットを前記周波数の範囲から決定するステップは、前記音を出力する低周波数範囲サブセットを前記周波数の範囲から決定するステップを含み、
前記周波数のサブセットに基づいて前記２つ以上の電極対のすべてを選択するステップは、前記決定された低周波数範囲サブセットに基づいて前記２つ以上の電極対のすべてを選択するステップを含む、請求項６に記載の方法。
【請求項８】
システムであって、
分布振動モード形スピーカを備え、前記分布振動モード形スピーカは、
圧電変換器を含み、前記圧電変換器は、
２つ以上の電極対を含み、前記２つ以上の電極対の各々は、ａ）前記圧電変換器に含まれる層の第１の側に第１の電極を含み、ｂ）前記層のうち前記第１の側とは反対側の第２の側に第２の電極を含み、ｃ）前記層のうち異なる部分に接続されており、
周波数の範囲内の音波を生成するようにパネルを振動させるための力を生成するように適合されており、前記分布振動モード形スピーカはさらに、
力を前記圧電変換器から前記パネルに伝える支持部を備え、前記支持部は、前記圧電変換器から前記パネルを分離しており、前記支持部は第１の端部が前記パネルに取付けられているとともに第２の端部が前記圧電変換器に取付けられており、前記圧電変換器は、前記パネルと平行に前記支持部から前記圧電変換器の自由端にまで延在しており、前記分布振動モード形スピーカはさらに、
コントローラを備え、前記コントローラは、
前記圧電変換器のために、音を出力する周波数のサブセットを前記周波数の範囲から決定し、
前記音を生成するために、前記周波数のサブセットに基づいて、前記圧電変換器に含まれる前記２つ以上の電極対から１つ以上の電極対を選択するように構成されており、前記分布振動モード形スピーカはさらに、
駆動モジュールを備え、前記駆動モジュールは、
前記２つ以上の電極対の各々に接続されているとともに、前記２つ以上の電極対のうち少なくともいくつかに電流を与えて、前記パネルへの印加時に前記パネルに音を生成させる力を前記圧電変換器に生成させるように適合されており、
前記選択された１つ以上の電極対の各々に電流を与えて、前記パネルへの印加時に前記パネルに前記周波数のサブセット内の前記音を生成させる力を前記圧電変換器に生成させるように構成されている、システム。
【請求項９】
前記分布振動モード形スピーカは、前記圧電変換器に固定して接続された支持部を含み、前記支持部は、前記パネルに接続されると、前記圧電変換器によって生成される前記力のうち少なくともいくらかを前記パネルに伝える、請求項８に記載のシステム。
【請求項１０】
前記２つ以上の電極対のうち少なくともいくつかの電極対は共通の接地を共有している、請求項８または９に記載のシステム。
【請求項１１】
前記２つ以上の電極対のうち各々の電極対は別個の接地を有する、請求項８または９に記載のシステム。
【請求項１２】
前記層はセラミックである、請求項８から１１のいずれか１項に記載のシステム。
【請求項１３】
前記コントローラは、前記周波数のサブセットに基づいて前記２つ以上の電極対から電極対のサブセットを選択することによって、前記音を生成するために、前記周波数のサブセットに基づいて、前記圧電変換器に含まれる前記２つ以上の電極対から前記１つ以上の電極対を選択するように構成される、請求項８から１２のいずれか１項に記載のシステム。
【請求項１４】
前記コントローラは、
前記音を出力する高周波数範囲サブセットを前記周波数の範囲から決定することによって、前記音を出力する前記周波数のサブセットを前記周波数の範囲から決定し、
前記決定された高周波数範囲サブセットに基づいて、前記２つ以上の電極対から１つの電極対を選択することによって、前記周波数のサブセットに基づいて、前記２つ以上の電極対から電極対のサブセットを選択するように構成される、請求項１３に記載のシステム。
【請求項１５】
前記コントローラは、前記決定された高周波数範囲サブセットに基づいて、前記支持部に最も近接している特定の電極対を選択することによって、前記決定された高周波数範囲サブセットに基づいて、前記２つ以上の電極対から１つの電極対を選択するように構成されている、請求項１４に記載のシステム。
【請求項１６】
前記コントローラは、
前記音とは異なる音である第２の音を出力する中周波数範囲サブセットを、前記周波数の範囲から決定するよう構成されており、
前記決定された中周波数範囲サブセットに基づいて、前記圧電変換器に含まれる３つ以上の電極対から２つ以上の特定の電極対を選択するよう構成されており、前記３つ以上の電極対は前記２つ以上の電極対を含み、
前記駆動モジュールは、前記３つ以上の電極対の各々に接続されている前記駆動モジュールによって、前記選択された２つ以上の電極対の各々に電流を与えて、前記圧電変換器から前記パネルに力を加えさせるとともに、前記パネルに前記中周波数範囲サブセット内の前記第２の音を生成させるように構成されている、請求項１４または１５に記載のシステム。
【請求項１７】
前記コントローラは、前記周波数のサブセットに基づいて前記２つ以上の電極対のすべてを選択することにより、前記音を生成するために、前記周波数のサブセットに基づいて、前記圧電変換器に含まれる前記２つ以上の電極対から前記１つ以上の電極対を選択するように構成されている、請求項８から１６のいずれか１項に記載のシステム。
【請求項１８】
前記コントローラは、
前記音を出力する低周波数範囲サブセットを前記周波数の範囲から決定することによって、前記音を出力する前記周波数のサブセットを前記周波数の範囲から決定し、
前記決定された低周波数範囲サブセットに基づいて前記２つ以上の電極対のすべてを選択することによって、前記周波数のサブセットに基づいて前記２つ以上の電極対のすべてを選択するように構成されている、請求項１７に記載のシステム。
【請求項１９】
装置であって、
内容を表示するように構成されたディスプレイと、
圧電変換器とを含み、前記圧電変換器は、
２つ以上の電極対を含み、前記２つ以上の電極対の各々は、ａ）前記圧電変換器に含まれる層の第１の側に第１の電極を含み、ｂ）前記層のうち前記第１の側とは反対側の第２の側に第２の電極を含み、ｃ）前記層のうち異なる部分に接続されており、
周波数の範囲内の音波を生成するようにパネルを振動させるための力を生成するように適合されており、前記装置はさらに、
力を前記圧電変換器から前記パネルに伝える支持部を備え、前記支持部は、前記圧電変換器から前記パネルを分離しており、前記支持部は第１の端部が前記パネルに取付けられているとともに第２の端部が前記圧電変換器に取付けられており、前記圧電変換器は、前記パネルと平行に前記支持部から前記圧電変換器の自由端にまで延在しており、前記装置はさらに、
コントローラを含み、前記コントローラは、
前記圧電変換器のために、音を出力する周波数のサブセットを前記周波数の範囲から決定し、
前記音を生成するために、前記周波数のサブセットに基づいて、前記圧電変換器に含まれる前記２つ以上の電極対から１つ以上の電極対を選択するように構成されており、前記装置はさらに、
駆動モジュールを含み、前記駆動モジュールは、
前記２つ以上の電極対の各々に接続されているとともに、前記２つ以上の電極対のうち少なくともいくつかに電流を与えて、前記パネルへの印加時に前記パネルに音を生成させる力を前記圧電変換器に生成させるように適合されており、
前記選択された１つ以上の電極対の各々に電流を与えて、前記パネルへの印加時に前記パネルに前記周波数のサブセット内の前記音を生成させる力を前記圧電変換器に生成させるように構成されており、前記装置はさらに、
前記装置のためのアプリケーションを実行するように構成された１つ以上のアプリケーションプロセッサと、
命令が格納されている１つ以上のメモリとを含み、前記命令は、前記１つ以上のアプリケーションプロセッサによって実行されると、前記１つ以上のアプリケーションプロセッサに前記アプリケーションを実行させるように動作可能であり、
前記装置はスマートフォンである、装置。
【請求項２０】
前記ディスプレイは前記パネルを含む、請求項１９に記載の装置。
【国際調査報告】
2021507547.tif 000008
2021507547.tif 000009
2021507547.tif 000010